(57)【特許請求の範囲】
【請求項１】
固定子と回転子を有するモーターと、前記回転子の軸に固定され、中央部に形成した吸込口から空気を吸引する送風ファンと、前記送風ファンの外周に設けられ前記送風ファンより排出された空気を前記モーター内に導く案内羽根とを備えた電動送風機において、
前記回転子の軸の先端部にネジ穴を形成し、前記ネジ穴と螺合して前記送風ファンを前記モーターに取り付けるネジを設け、前記ネジの頭部は前記送風ファン内に配置されるとともに表面が平面状に形成されていることを特徴とする電動送風機。
【請求項２】
送風ファンは、中央部に吸込口が形成された上プレートと平板状の下プレートと前記上プレートと前記下プレートとの間に形成した複数のプレートとを有し、ネジの送風ファン内に突出する高さＨは、前記下プレートの厚さｔの６倍以下とし、軸端部の送風ファン内に突出する高さｈは、前記下プレートの厚さｔの３倍以下としたことを特徴とする請求項１記載の電動送風機。
【発明の詳細な説明】
【０００１】
【発明の属する技術分野】
本発明は、電気掃除機等に用いられる電動送風機に関するものである。
【０００２】
【従来の技術】
図８は従来の電動送風機を示す断面図である。図において、１は固定子２と回転子３を有するモーター、４は側面に排気口４ａが形成されたモーターフレーム、５はモーターフレーム４に固定されたブラケットである。ブラケット５の中央突出部には軸受が設けられている。６は回転子３の軸７に固定された送風ファンであり、中央部に吸込口６ａが形成された傘状の上プレート６ｂと、中央部に軸７が貫通する平板状の下プレート６ｃと、上プレート６ｂと下プレート６ｃとの間に複数設けられたプレート６ｄとから構成されている。８は送風ファン６の外周に設けられた案内羽根であり、送風ファン６より排出された気流をモーター１内部に導くものである。９は送風ファン６と案内羽根８を覆い、ブラケット５に圧入固定されたファンカバーである。１１は下ワッシャー、１４は上ワッシャーであり、送風ファン６の回転時に発生する振動の原因となる振れを抑制するために設けられている。１５は送風ファン６内部に突出した回転子３の軸７先端部と螺合し、モーター１に送風ファン６を固定するナットである。
【０００３】
上記のように構成された従来の電動送風機によれば、モーター１を駆動すると高速で回転子３が回転し回転子３の軸７に取り付けられた送風ファン６が回転する。この送風ファン６により吸引される空気の流れは、図中の矢印で示すように送風ファン６の吸込口６ａ付近から外周方向に転向し、送風ファン６内部を通り案内羽根８で整流され、圧力を回復しながらファンカバー９とブラケット５の外周部内壁を転向し、モーター１内部に導かれ、固定子２及び回転子３等を冷却しながらモーターフレーム４の排気口４ａから排出される。
【０００４】
【発明が解決しようとする課題】
従来の電動送風機は上記のように構成されているため、気流が送風ファン吸込口付近で送風ファンの外周方向に転向する際、送風ファンの吸込口と対向する部分に軸及びナットが突出しているため、気流の抵抗となり、乱流が生じ吸引効率が低下してしまうという課題があった。
【０００５】
この発明は上記のような課題を解決するためになされたもので、送風ファンにより吸引される空気の流れが送風ファン内で外周方向に転向する際に乱流が発生してしまうことを防止し、圧力の損失を低減させ、吸引効率の高い電動送風機を得ることを目的とする。
【０００６】
【課題を解決するための手段】
本発明に係る電動送風機は、固定子と回転子を有するモーターと、前記回転子の軸に固定され、中央部に形成した吸込口から空気を吸引する送風ファンと、前記送風ファンの外周に設けられ前記送風ファンより排出された空気を前記モーター内に導く案内羽根とを備えたものにおいて、前記回転子の軸の先端部にネジ穴を形成し、前記ネジ穴と螺合して前記送風ファンを前記モーターに取り付けるネジを設け、前記ネジの頭部は前記送風ファン内に配置されるとともに表面が平面状で形成されているものである。
【０００７】
また、送風ファンは、中央部に吸込口が形成された上プレートと平板状の下プレートと前記上プレートと前記下プレートとの間に形成した複数のプレートとを有し、ネジの送風ファン内に突出する高さＨは、前記下プレートの厚さｔの６倍以下とし、軸端部の送風ファン内に突出する高さｈは、前記下プレートの厚さｔの３倍以下としたものである。
【０００８】
【発明の実施の形態】
実施の形態１．
図１は本発明の実施の形態１を示す電動送風機の断面図、図２は図１の要部拡大図、図３はネジの斜視図、図４はネジの裏面を示す斜視図、図５は従来例との比較を示す説明図である。図において、１は固定子２と回転子３を有するモーター、４は側面に排気口４ａが形成されたモーターフレーム、５はモーターフレーム４に固定されたブラケットである。６は回転子３の軸７に固定された送風ファンであり、中央部に吸込口６ａが形成された傘状の上プレート６ｂと、中央部に軸７が貫通する平板状の下プレート６ｃと、上プレート６ｂと下プレート６ｃとの間に複数設けられたプレート６ｄとから構成されている。また、７ａは軸７の先端部７ｂに形成されたネジ穴であり、内側には雌ネジが形成されている。８は送風ファン６より排出された気流をモーター１内部に導く案内羽根、９は送風ファン６と案内羽根８を覆い、ブラケット５に圧入固定されたファンカバーである。１０は軸７に形成されたネジ穴７ａと螺合して送風ファン６をモーター１に締結するためのネジであり、頭部１０ａとネジ部１０ｂで構成されている。頭部１０ａ表面は送風ファン６の吸込口６ａから吸引された空気の流れを乱さないように略平面状に形成されている。また、頭部１０ａ表面には締付け穴１０ｃが形成され、裏面には軸７の先端部７ｂと嵌合する溝１０ｄが形成されている。１１は下ワッシャーであり、ネジ１０の頭部１０ａとともに、送風ファン６の回転時に発生する振動の原因となる振れを抑制するために設けられている。つまり、頭部１０ａには従来の上ワッシャー１４と同等の作用がある。
【０００９】
上記のように構成された電動送風機は、モーター１を駆動すると高速で回転子３が回転し回転子３の軸７に取り付けられた送風ファン６が回転する。この送風ファン６により吸引される空気の流れは、図中の矢印で示すように、送風ファン６の吸込口６ａ付近から外周方向に転向し、送風ファン６内部を通り案内羽根８で整流され、圧力を回復しながらファンカバー９とブラケット５の外周部内壁を転向し、モーター１内部に導かれ、固定子２及び回転子３等を冷却しながらモーターフレーム４の排気口４ａから排出される。
【００１０】
本実施の形態１によれば、送風ファン６内への回転子３の軸７及びネジ１０の突出量を少なくしたので、送風ファン６により吸引される空気の流れは、送風ファン６の吸込口６ａ付近で案内羽根８側へ転向する際、乱流を起こしにくく、圧力損失を低減でき、高い吸引性能が得られる。
【００１１】
また、図５に示すとおり、従来は回転子３の軸７の先端部に雄ネジを設けてナットで送風ファン６を締結していたが、本実施の形態１では軸７の先端部にネジ穴を設け、そのネジ穴に平面形状のネジを締結して送風ファン６を固定したので、軸７の全長Ｌを短くでき、材料費の削減や装置の小型化も図ることができる。
【００１２】
なお、実施の形態１では、送風ファン６を締結するネジ１０の頭部１０ａが略平面形状の１部品のものを示したが、図６に示すように、上ワッシャー１２を介してネジ１３で固定する２部品構成にしても同様の効果が得られる。
【００１３】
実施の形態２．
図７は本発明の実施の形態２を示す電動送風機の要部断面図であり、実施の形態２では送風ファン６内に突出する回転子３の軸端部の高さｈを送風ファン６の下プレート６ｂの板厚ｔの３倍以下とすると共に、送風ファン６内に突出するネジ頭部の高さＨを、送風ファン６の下プレート６ｂの板厚ｔの６倍以下とした。
【００１４】
送風ファン６により吸引される空気の流れは、実施の形態１同様、送風ファン６の吸込口６ａから外周方向に転向し、送風ファン６の内部を通り、案内羽根９で整流され圧力を回復しながらファンカバー１０とブラケット４の外周部内壁を転向し、モーター内部に導かれ固定子２及び回転子３等を冷却しながらモーターフレーム４の排気口４ａから排出される。（図示せず）
【００１５】
本実施の形態２によれば、送風ファン６内への軸７及びネジ１０の突出量が少ないため、送風ファン６により吸引される空気の流れは、送風ファン６の吸込口６ａ付近で外周方向に転向する際、乱流を起こしにくく、圧力損失を低減でき高い吸引性能が得られる。また、送風ファン１の装着性を損なうことなく、材料費の削減や装置の小型化・軽量化を図ることができる
【００１６】
【発明の効果】
以上のように構成された本発明の電動送風機は、送風ファン内への回転子の軸及び送風ファンを締結するネジ頭部の突出量が少ないため、送風ファンにより吸引される空気の流れは、送風ファンの吸込口から外周方向へ転向する際、乱流が起こりにくく、吸引部での圧力損失を低減でき高い吸引性能を得ることができるという効果がある。
【００１７】
また、送風ファン内に突出する回転子の軸端部の高さを送風ファン下プレートの板厚の３倍以下とすると共に送風ファン内に突出するネジ頭部の高さを送風ファン下プレートの板厚の６倍以下とすることで、送風ファンにより吸引される空気の流れは、送風ファンの吸込口から外周方向へ転向する際、乱流が起こりにくく、吸引部での圧力損失を低減でき高い吸引性能を得ることができる。さらに、送風ファンの装着性を損なうことなく、材料費の削減や装置の小型化・軽量化を図ることができるという効果がある。
【図面の簡単な説明】
【図１】本発明の実施の形態１を示す電動送風機の断面図である。
【図２】図１の要部拡大図である。
【図３】本発明の実施の形態１を示すネジの斜視図である。
【図４】本発明の実施の形態１を示すネジの斜視図である。
【図５】従来例との比較を示す説明図である。
【図６】他の実施の形態を示す電動送風機の断面図である。
【図７】本発明の実施の形態２を示す電動送風機の要部断面図である。
【図８】従来の電動送風機を示す断面図である。
【符号の説明】
１  モーター、２  固定子、３  回転子、４  モーターフレーム、
４ａ  排気口、５  ブラケット、６  送風ファン、６ａ  吸込口、
６ｂ  上プレート、６ｃ  下プレート、６ｄ  プレート、７  軸、
７ａ  ネジ穴、７ｂ  先端部、８  案内羽根、９  ファンカバー、１０  ネジ、
１０ａ  頭部、１０ｂ  ネジ部、１１  下ワッシャー、１２  上ワッシャー、
１３  ネジ、１４  上ワッシャー、１５  ナット。
【図１】
0003571551.tif 000002
【図２】
0003571551.tif 000003
【図３】
0003571551.tif 000004
【図４】
0003571551.tif 000005
【図５】
0003571551.tif 000006
【図６】
0003571551.tif 000007
【図７】
0003571551.tif 000008
【図８】
0003571551.tif 000009